(57)【要約】【課題】従来の多相昇圧コンバータの制御方法では、電力効率が最も良い状態を維持しながら多相昇圧コンバータを動作させることが出来ない問題があった。【解決手段】本発明の多相昇圧コンバータの制御方法は、多相昇圧コンバータの電力効率が最も高くなる駆動相数と多相昇圧コンバータへの入力電流との対応を示すマップを異なる出力電圧値毎に予め準備するマップ準備ステップと、多相昇圧コンバータの出力電圧を検出し、検出した出力電圧に基づいて、マップの１つを選択するマップ選択ステップ（Ｓ１、Ｓ２）と、多相昇圧コンバータの入力電流を検出し、選択したマップに基づいて、検出した入力電流において最も電力効率が高くなる駆動相数を選択する駆動相数選択ステップ（Ｓ３〜Ｓ５）と、を有する。【選択図】図３
2017158373.tif 000002
【特許請求の範囲】
【請求項１】
負荷回路に供給する出力電圧が出力される出力端子に対して並列に接続された複数の昇圧回路を有する多相昇圧コンバータの制御方法であって、
前記多相昇圧コンバータの電力効率が最も高くなる駆動相数と前記多相昇圧コンバータへの入力電流との対応を示すマップを異なる出力電圧値毎に予め準備するマップ準備ステップと、
前記多相昇圧コンバータの前記出力電圧を検出し、検出した前記出力電圧に基づいて、前記マップの１つを選択するマップ選択ステップと、
前記多相昇圧コンバータの前記入力電流を検出し、選択した前記マップに基づいて、検出した前記入力電流において最も前記電力効率が高くなる前記駆動相数を選択する駆動相数選択ステップと、
を有する多相昇圧コンバータの制御方法。
【請求項２】
負荷回路に供給する出力電圧が出力される出力端子に対して並列に接続された複数の昇圧回路を有する多相昇圧コンバータの制御方法であって、
前記複数の昇圧回路に与える駆動信号の周波数をキャリア周波数とし、異なる前記キャリア周波数毎に前記多相昇圧コンバータの電力効率が最も高くなる駆動相数と前記多相昇圧コンバータへの入力電流との対応を示すマップを予め準備するマップ準備ステップと、
前記多相昇圧コンバータの現在の前記キャリア周波数に基づいて、前記マップの１つを選択するマップ選択ステップと、
前記多相昇圧コンバータの前記入力電流を検出し、選択した前記マップに基づいて、検出した前記入力電流において最も前記電力効率が高くなる前記駆動相数を選択する駆動相数選択ステップと、
を有する多相昇圧コンバータの制御方法。
【発明の詳細な説明】
【技術分野】
【０００１】
本発明は多相昇圧コンバータの制御方法に関し、例えば、複数の昇圧コンバータを並列接続し、当該複数の昇圧コンバータを複数の異なる位相の駆動信号により制御する多相昇圧コンバータの制御方法に関する。
【背景技術】
【０００２】
昇圧コンバータの１つに複数の昇圧コンバータを並列接続して、当該複数の昇圧コンバータを複数の異なる位相の駆動信号により制御する多相昇圧コンバータがある。多相昇圧コンバータは、単相の昇圧コンバータよりも高負荷では１相当りの負荷を減らすことができるため、小型化が可能である。この多相昇圧コンバータの一例が特許文献１に開示されている。
【先行技術文献】
【特許文献】
【０００３】
【特許文献１】特開２００９−１６３９４８号公報
【発明の概要】
【発明が解決しようとする課題】
【０００４】
特許文献１に記載の多相昇圧コンバータの制御方法では、多相昇圧コンバータへの入力電力が予め定められた基準値を超えたタイミングで駆動相数を切り替える。具体的には、その基準値が、負荷（例えばモータなど）への供給電力が不足することになる入力電力値として予め設定されている。そのため、特許文献１に記載の技術を用いた場合、必ずしも多相昇圧コンバータの電力効率を高い状態で維持することができない虞があった。
【０００５】
本発明は、上記事情に鑑みてなされたものであり、多相昇圧コンバータの電力効率を高く維持することを目的とするものである。
【課題を解決するための手段】
【０００６】
本発明にかかる多相昇圧コンバータの制御方法の一態様は、負荷回路に供給する出力電圧が出力される出力端子に対して並列に接続された複数の昇圧回路を有する多相昇圧コンバータの制御方法であって、前記多相昇圧コンバータの電力効率が最も高くなる駆動相数と前記多相昇圧コンバータへの入力電流との対応を示すマップを異なる出力電圧値毎に予め準備するマップ準備ステップと、前記多相昇圧コンバータの前記出力電圧を検出し、検出した前記出力電圧に基づいて、前記マップの１つを選択するマップ選択ステップと、前記多相昇圧コンバータの前記入力電流を検出し、選択した前記マップに基づいて、検出した前記入力電流において最も前記電力効率が高くなる前記駆動相数を選択する駆動相数選択ステップと、を有する。
【０００７】
上記本発明の一態様によれば、入力電力の大小によらず、その時点で電力効率が最も高くなる駆動相数を選択しながら多相昇圧コンバータを制御するため高い電力効率を維持するように多相制御コンバータを動作させることができる。
【０００８】
本発明にかかる多相昇圧コンバータの制御方法の別の態様は、負荷回路に供給する出力電圧が出力される出力端子に対して並列に接続された複数の昇圧回路を有する多相昇圧コンバータの制御方法であって、前記複数の昇圧回路に与える駆動信号の周波数をキャリア周波数とし、異なる前記キャリア周波数毎に前記多相昇圧コンバータの電力効率が最も高くなる駆動相数と前記多相昇圧コンバータへの入力電流との対応を示すマップを予め準備するマップ準備ステップと、前記多相昇圧コンバータの現在の前記キャリア周波数に基づいて、前記マップの１つを選択するマップ選択ステップと、前記多相昇圧コンバータの前記入力電流を検出し、選択した前記マップに基づいて、検出した前記入力電流において最も前記電力効率が高くなる前記駆動相数を選択する駆動相数選択ステップと、を有する。
【０００９】
上記本発明の一態様によれば、入力電力の大小によらず、その時点で電力効率が最も高くなる駆動相数を選択しながら多相昇圧コンバータを制御するため高い電力効率を維持するように多相制御コンバータを動作させることができる。
【発明の効果】
【００１０】
本発明にかかる多相昇圧コンバータの制御方法によれば、多相昇圧コンバータの電力効率を高く維持しながら多相昇圧コンバータを動作させることができる。
【図面の簡単な説明】
【００１１】
【図１】実施の形態１にかかる多相昇圧コンバータを含むシステムのブロック図である。
【図２】実施の形態１にかかる多相昇圧コンバータで用いられるマップの構成を説明する図である。
【図３】実施の形態１にかかる多相昇圧コンバータの制御手順を説明するフローチャートである。
【図４】実施の形態１にかかる多相昇圧コンバータの制御で用いられるヒステリシス制御を説明するグラフである。
【図５】実施の形態２にかかる多相昇圧コンバータで用いられるマップの構成を説明する図である。
【図６】実施の形態２にかかる多相昇圧コンバータの制御手順を説明するフローチャートである。
【図７】実施の形態３にかかる多相昇圧コンバータで用いられるマップの構成を説明する図である。
【発明を実施するための形態】
【００１２】
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１３】
まず、図１に実施の形態１にかかる多相昇圧コンバータを含むシステム１の概略図を示す。図１に示すように、実施の形態１にかかるシステム１は、入力電源１０、多相昇圧コンバータ１１、電力制御ユニット２０を有する。
【００１４】
入力電源１０は、例えば、燃料電池である。システム１では、燃料電池１０が生成する入力電圧Ｖｉｎを多相昇圧コンバータ１１で昇圧して電力制御ユニット２０に与える出力電圧ＶＨを生成する。つまり、電力制御ユニット２０は、多相昇圧コンバータ１１に対する負荷回路である。多相昇圧コンバータ１１は、負荷回路（例えば、電力制御ユニット２０）に供給する出力電圧が出力される出力端子に対して複数の昇圧回路を、同一周波数を有する複数の駆動信号により駆動するものである。また、電力制御ユニット２０は、車載高圧バッテリー電圧をシステム電圧まで昇圧する昇圧コンバータと、直流電圧を交流電圧に変換して車輌の動力源となるモータを駆動するインバータと、を有する。
【００１５】
多相昇圧コンバータ１１は、リアクトルＬ１〜Ｌ４、ダイオードＤ１〜Ｄ４、駆動トランジスタＳＴｒ１〜ＳＴｒ４、制御部１２、電流検出部１３、出力電圧検出部１４、コンデンサＣ１を有する。多相昇圧コンバータ１１では、１つのリアクトルと、１つのダイオードと、１つの駆動トランジスタと、により１つの昇圧回路が形成される。
【００１６】
図１に示す例では、リアクトルＬ１〜Ｌ４の一端がそれぞれ多相昇圧コンバータ１１の入力端子に接続される。そして、ダイオードＤ１は、リアクトルＬ１の他端にアノードが接続され、多相昇圧コンバータ１１の出力端子にカソードが接続される。ダイオードＤ２は、リアクトルＬ２の他端にアノードが接続され、多相昇圧コンバータ１１の出力端子にカソードが接続される。ダイオードＤ３は、リアクトルＬ３の他端にアノードが接続され、多相昇圧コンバータ１１の出力端子にカソードが接続される。ダイオードＤ４は、リアクトルＬ４の他端にアノードが接続され、多相昇圧コンバータ１１の出力端子にカソードが接続される。
【００１７】
また、駆動トランジスタＳＴｒ１は、コレクタがリアクトルＬ１とダイオードＤ１との間に接続され、エミッタが接地配線に接続され、ベースにＵ相の駆動信号ＳＣｕが与えられる。駆動トランジスタＳＴｒ２は、コレクタがリアクトルＬ２とダイオードＤ２との間に接続され、エミッタが接地配線に接続され、ベースにＶ相の駆動信号ＳＣｖが与えられる。駆動トランジスタＳＴｒ３は、コレクタがリアクトルＬ３とダイオードＤ３との間に接続され、エミッタが接地配線に接続され、ベースにＷ相の駆動信号ＳＣｗが与えられる。駆動トランジスタＳＴｒ４は、コレクタがリアクトルＬ４とダイオードＤ４との間に接続され、エミッタが接地配線に接続され、ベースにＸ相の駆動信号ＳＣｘが与えられる。
【００１８】
実施の形態１にかかるシステム１では、多相昇圧コンバータ１１の出力端子にコンデンサＣ１が配置され、電力制御ユニット２０の入力端子にコンデンサＣ２が配置される。コンデンサＣ１は、多相昇圧コンバータ１１の出力電圧を平滑化する。コンデンサＣ２は、電力制御ユニット２０に与えられる電圧において電力制御ユニット２０の消費電流に応じて発生する変動を抑制するバイパスコンデンサである。
【００１９】
電流検出部１３は、多相昇圧コンバータ１１の入力端子と複数の昇圧回路との間を接続する電源配線上に設けられ、多相昇圧コンバータ１１に入力される入力電流の大きさを検出する。電流検出部１３は、検出した入力電流の大きさの情報を入力電流値Ｉｉｎとして出力する。
【００２０】
出力電圧検出部１４は、接地配線と多相昇圧コンバータ１１の出力配線との間に設けられ、多相昇圧コンバータ１１の出力電圧の大きさを検出する。出力電圧検出部１４は、検出した出力電圧の大きさの情報を出力電圧値ＶＨとして出力する。
【００２１】
制御部１２は、例えば、演算回路と、メモリ、ＡＤコンバータ、ＤＡコンバータ、タイマ等の周辺回路と、が１つのパッケージに収められたマイクロコントローラユニット（以下ＭＣＵと称す）である。制御部１２は、同一周波数を有する複数の駆動信号（例えば駆動信号ＳＣｕ、ＳＣｖ、ＳＣｗ、ＳＣｘ）により複数の昇圧回路を駆動する。ここで、制御部１２は、電流検出部１３から入力電流値Ｉｉｎに応じて昇圧回路に出力する駆動信号の数を変更することで、多相昇圧コンバータ１１の駆動相数を切り替える。また、制御部１２は、異なる出力電圧値ＶＨ毎に設けられるマップを複数含むマップ群を有する。このマップ群は、例えば、制御部１２内のメモリに格納される。また、制御部１２は、内部のメモリに、後述する多相昇圧コンバータ１１の制御を行うためのプログラムを格納し、演算回路により当該プログラムを実行することで、以下で説明する多相昇圧コンバータ１１の制御を行うものとする。
【００２２】
ここで、制御部１２に格納されるマップ群について説明する。実施の形態１にかかる多相昇圧コンバータ１１では、設計段階で測定、或いは、予測される多相昇圧コンバータ１１の特性に基づきマップ群を予め準備する。具体的には、多相昇圧コンバータ１１の特性に基づき、多相昇圧コンバータの電力効率が最も高くなる駆動相数と前記多相昇圧コンバータへの入力電流との対応関係を求めることでマップを作成する。また、実施の形態１にかかる多相昇圧コンバータ１１では、異なる出力電圧値毎にマップを作成し、作成された複数のマップを１つのマップ群として制御部１２のメモリ等に格納する。
【００２３】
このマップ群の一例について説明する。そこで、図２に実施の形態１にかかる多相昇圧コンバータで用いられるマップの構成を説明する図を示す。図２に示すグラフは、横軸を入力電流の大きさ、縦軸を多相昇圧コンバータ１１の電力効率とするものである。
【００２４】
図２に示すように、多相昇圧コンバータ１１は、駆動相数毎に電力効率曲線において電力効率が最も高くなる入力電流の値が異なる。また、電力効率曲線は、互いに交差する点を持っており、この交差点に対応する入力電流を実施の形態１にかかる制御方法では相数切替閾値と称す。そして、相数切替閾値より小さい入力電流である場合は駆動相数が少ない方が電力効率が高く、相数切替閾値より大きい入力電流である場合は駆動相数が多い方が電力効率が高くなる。また、図２に示すように、出力電圧値ＶＨの大きさの違いに応じて、多相昇圧コンバータ１１の変換効率曲線は異なる。
【００２５】
多相昇圧コンバータ１１の変換効率曲線は、上記のような特徴を有する。そこで、実施の形態１にかかる多相昇圧コンバータ１１では、出力電圧値毎に多相昇圧コンバータの電力効率が最も高くなる駆動相数と多相昇圧コンバータへの入力電流との対応を示すマップを作成する。このマップは、図２の上図の例では、１相駆動の電力効率曲線と２相駆動の電力効率曲線とが交わる入力電流値に対応する相数切替閾値ＴＨ１ａよりも小さい入力電流に対しては１相を選択駆動相数を指定し、２相駆動の電力効率曲線と３相駆動の電力効率曲線とが交わる入力電流値に対応する相数切替閾値ＴＨ２ａと相数切替閾値ＴＨ１ａとの間の入力電流に対しては２相を選択駆動相数を指定し、３相駆動の電力効率曲線と４相駆動の電力効率曲線とが交わる入力電流値に対応する相数切替閾値ＴＨ３ａと相数切替閾値ＴＨ２ａとの間の入力電流に対しては３相を選択駆動相数を指定し、相数切替閾値ＴＨ３ａよりも大きな入力電流に対しては４相を選択駆動相数を指定する情報を含む。つまり、相数切替閾値は、最も電力効率が高くなる駆動相数の変化点に対応する入力電流に対応する値として定義される。そして、図２に示した例では、出力電圧値ＶＨの違いに応じて３つのマップを作成し、３つのマップを含むマップ群を制御部１２のメモリに格納する。
【００２６】
続いて、実施の形態１にかかる多相昇圧コンバータ１１の制御手順について説明する。そこで、図３に実施の形態１にかかる多相昇圧コンバータの制御手順を説明するフローチャートを示す。なお、実施の形態１にかかる多相昇圧コンバータ１１では、図３に示した駆動相数切り替え処理を連続的或いは間欠的に繰り返し実行するものとする。
【００２７】
図３に示すように、実施の形態１にかかる多相昇圧コンバータ１１の制御方法では、まず、制御部１２のメモリ等に多相昇圧コンバータ１１の電力効率が最も高くなる駆動相数と多相昇圧コンバータ１１への入力電流値Ｉｉｎとの対応を示すマップを異なる出力電圧値ＶＨ毎に予め準備するマップ準備ステップを行うことで多相昇圧コンバータ１１を制御するための準備を整える。
【００２８】
実施の形態１にかかる多相昇圧コンバータ１１は、マップ準備ステップ完了後に、駆動相数切り替え処理を開始する。まず、ステップＳ１では、制御部１２が入力電流値Ｉｉｎ及び出力電圧値ＶＨを電流検出部１３及び出力電圧検出部１４から読み込む。次いで、制御部１２は、ステップＳ２として、出力電圧値ＶＨに応じたマップをマップ群から１つ選択し、選択したマップを参照する。制御部１２は、このステップＳ１及びＳ２により、多相昇圧コンバータ１１の出力電圧を検出し、検出した出力電圧に基づいて、マップの１つを選択するマップ選択ステップを行う。
【００２９】
次いで、制御部１２は、ステップＳ３として、前サイクルで取得した入力電流値Ｉｉｎと現サイクルで取得している入力電流値Ｉｉｎと比較して、入力電流値Ｉｉｎの変化が相数切替閾値を超えるものであるか否かを判定する。このステップＳ３で入力電流値Ｉｎの変化が相数切替閾値を超えるものでない場合、制御部１２は駆動相数切り替え処理の現サイクルを終了する。一方、ステップＳ３で入力電流値Ｉｎの変化が相数切替閾値を超えるものであると判断された場合、制御部１２は、入力電流値Ｉｉｎがヒステリシス範囲を超えたか否かを判定する。
【００３０】
ここで、実施の形態１にかかる多相昇圧コンバータ１１の制御方法において用いられるヒステリシス範囲について説明する。そこで、図４に実施の形態１にかかる多相昇圧コンバータの制御で用いられるヒステリシス制御を説明するグラフを示す。図４に示すように、実施の形態１にかかる多相昇圧コンバータ１１の制御方法では、入力電流値Ｉｉｎが相数切替閾値を超えたことに応じて駆動相数を切り替えるが、ヒステリシス範囲を用いてこの駆動相数の切り替え頻度を抑制する。図４に示す例では、相数切替閾値ＴＨ１〜ＴＨ３のそれぞれに対して各相数切替閾値を超えた範囲で相数の切り替えを禁止するヒステリシス範囲が設定される。実施の形態１にかかる多相昇圧コンバータ１１の制御方法では、入力電流値Ｉｉｎが相数切替閾値を超え、かつ、入力電流値Ｉｉｎがヒステリシス範囲外の大きさとなるまで駆動相数の切り替えを待つ。このようなヒステリシス制御を行うことで、駆動相数の切り替えが短い時間の間に繰り返されるチャタリングを防止して、駆動相数の切替制御を安定化させることができる。
【００３１】
上述したステップＳ４において、入力電流値Ｉｉｎがヒステリシス範囲を超えていないと判断された場合、制御部１２は駆動相数切り替え処理の現サイクルを終了する。一方、ステップＳ４で入力電流値Ｉｉｎがヒステリシス範囲を超えたと判断された場合、制御部１２は、現サイクルで取得した入力電流値Ｉｉｎに対して最も電力効率が高くなる駆動相数に駆動相数を切り替える（ステップＳ５）。このステップＳ５の切替処理が終了したことに応じて、制御部１２は駆動相数切り替え処理の現サイクルを終了する。
【００３２】
なお、図３に示すステップＳ３からＳ５の処理により、制御部１２は、多相昇圧コンバータ１１の入力電流を検出し、選択したマップに基づいて、検出した入力電流において最も電力効率が高くなる前記駆動相数を選択する駆動相数選択ステップと、選択した駆動相数が変化した場合、その時点での入力電流と相数切替閾値との差が予め決められるヒステリシス範囲を超えたことに応じて選択した駆動相数を多相昇圧コンバータ１１の制御に反映する駆動相数切替ステップと、を実施する。
【００３３】
上記説明より、実施の形態１にかかる多相昇圧コンバータ１１の制御方法では、予め多相昇圧コンバータ１１の入力電流Ｉｉｎと電力効率が高くなる駆動相数との関係をマップに定義しておき、このマップを参照することで電力効率が最も高くなる駆動相数を入力電流値Ｉｉｎ毎に選択する。これにより、実施の形態１にかかる多相昇圧コンバータ１１を、常に高い変換効率で動作させることが可能になる。
【００３４】
また、実施の形態１にかかる多相昇圧コンバータの制御方法では、出力電圧値ＶＨ毎にマップを設け、出力電圧値ＶＨに応じたマップを選択し、選択したマップに基づき駆動相数を決定する。これにより、実施の形態１にかかる多相昇圧コンバータ１１は、出力電圧値ＶＨの違いによる変換効率の低下を防止することができる。
【００３５】
実施の形態２
実施の形態２では、マップの作成方法の別の形態について説明する。そこで、図５に実施の形態２にかかる多相昇圧コンバータで用いられるマップの構成を説明する図を示す。図５に示すように、電力効率曲線は、キャリア周波数の違いに応じて異なる形状となる。そこで、実施の形態２にかかる多相昇圧コンバータの制御方法では、出力電圧値ＶＨに代えてキャリア周波数毎に設けられたマップを含むマップ群を参照するマップ群とする。ここで、キャリア周波数とは、複数の昇圧回路に与える駆動信号の周波数を示す周波数である。
【００３６】
なお、実施の形態２にかかる多相昇圧コンバータの制御方法において制御の対象とする多相昇圧コンバータは、実施の形態１にかかる多相昇圧コンバータ１１と同じでも良く、多相昇圧コンバータ１１から出力電圧検出部１４を除いたものでも良い。また、実施の形態２にかかる多相昇圧コンバータの制御方法で用いるキャリア周波数は制御部１２が出力する駆動信号の周波数であり、制御部１２が把握している周波数である。
【００３７】
図６に実施の形態２にかかる多相昇圧コンバータの制御手順を説明するフローチャートを示す。図６に示すように、実施の形態２にかかる多相昇圧コンバータの制御方法では、図３に示した実施の形態１にかかる制御方法のフローチャートのステップＳ１、Ｓ２をステップＳ１１、Ｓ１２に置き換えたものである。
【００３８】
ステップＳ１１では、制御部１２が入力電流値Ｉｉｎを電流検出部１３から読み込むと共に、自身が出力している駆動信号の周波数をキャリア周波数として記憶する。ステップＳ１２では、制御部１２が、キャリア周波数に応じたマップをマップ群から１つ選択し、選択したマップを参照する。制御部１２は、このステップＳ１１及びＳ１２により、多相昇圧コンバータの現在のキャリア周波数に基づいて、マップの１つを選択するマップ選択ステップを行う。
【００３９】
その後に行われるステップＳ３からＳ５の処理は実施の形態１にかかる多相昇圧コンバータ１１の制御方法と同じであるため、説明を省略する。
【００４０】
上記説明より、実施の形態２にかかる多相昇圧コンバータの制御方法では、キャリア周波数毎にマップを設け、キャリア周波数に応じたマップを選択し、選択したマップに基づき駆動相数を決定する。これにより、実施の形態２にかかる多相昇圧コンバータは、キャリア周波数の違いによる変換効率の低下を防止することができる。
【００４１】
実施の形態３
実施の形態３では、マップの作成方法の別の形態について説明する。実施の形態３にかかる多相昇圧コンバータの制御方法では、出力電圧値ＶＨとキャリア周波数の組み合わせ毎に設けられたマップを含むマップ群を参照するマップ群とする。なお、実施の形態３にかかる多相昇圧コンバータの制御方法において制御の対象とする多相昇圧コンバータは、実施の形態１にかかる多相昇圧コンバータ１１と同じである。
【００４２】
図７に実施の形態３にかかる多相昇圧コンバータの制御手順を説明するフローチャートを示す。図７に示すように、実施の形態３にかかる多相昇圧コンバータの制御方法では、図３に示した実施の形態１にかかる制御方法のフローチャートのステップＳ１、Ｓ２をステップＳ２１、Ｓ２２に置き換えたものである。
【００４３】
ステップＳ２１では、制御部１２が入力電流値Ｉｉｎ及び出力電圧値ＶＨを電流検出部１３及び出力電圧検出部１４から読み込むと共に、自身が出力している駆動信号の周波数をキャリア周波数として記憶する。ステップＳ２２では、制御部１２が、出力電圧値ＶＨとキャリア周波数との組み合わせに応じたマップをマップ群から１つ選択し、選択したマップを参照する。制御部１２は、このステップＳ２１及びＳ２２により、多相昇圧コンバータの現在の出力電圧値ＶＨ及びキャリア周波数に基づいて、マップの１つを選択するマップ選択ステップを行う。
【００４４】
その後に行われるステップＳ３からＳ５の処理は実施の形態１にかかる多相昇圧コンバータ１１の制御方法と同じであるため、説明を省略する。
【００４５】
上記説明より、実施の形態３にかかる多相昇圧コンバータの制御方法では、出リュ奥電圧値ＶＨとキャリア周波数との組み合わせ毎にマップを設け、出力電圧値ＶＨとキャリア周波数との組み合わせに応じたマップを選択し、選択したマップに基づき駆動相数を決定する。これにより、実施の形態３にかかる多相昇圧コンバータは、出力電圧値ＶＨの違いと、キャリア周波数の違いと、による変換効率の低下を防止することができる。
【００４６】
上記説明は、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【符号の説明】
【００４７】
１  システム
１０  入力電源
１１  多相昇圧コンバータ
１２  制御部
１３  電流検出部
１４  出力電圧検出部
２０  電力制御ユニット
【図１】
2017158373.tif 000003
【図２】
2017158373.tif 000004
【図３】
2017158373.tif 000005
【図４】
2017158373.tif 000006
【図５】
2017158373.tif 000007
【図６】
2017158373.tif 000008
【図７】
2017158373.tif 000009